(57)【特許請求の範囲】
【請求項１】
コメントに応答するための方法であって、
公開投稿に関する複数のコメントを端末装置によって表示することと、
前記複数のコメントからの第１のコメントのユーザによる選択を前記端末装置によって受信することと、
前記受信に応じて、前記第１のコメントに加えて、前記複数のコメントからの１つ又は複数のコメントに対して、まとめて応答するためのインタフェースを前記端末装置によって前記ユーザに提供することと、
前記第１のコメントに加えて前記複数のコメントからの第２のコメントに応答する要求を前記端末装置によって前記インタフェースを介して取得することと、
前記端末装置によって、前記複数のコメントから第１の対象グループを決定することであって、前記第１の対象グループが、前記第１のコメントに含まれるキーワードと共通する又は同義である少なくとも１つのキーワードを有する応答対象のコメントを含むことと、
前記第１の対象グループに含まれる前記応答対象のコメントを前記端末装置によって表示することと、
前記第１のコメント及び前記第２のコメントに対する応答であって、前記ユーザによって入力された応答を、前記端末装置によって受信することと、
前記端末装置によって、前記第１の対象グループに含まれる前記応答対象のコメントのそれぞれに前記応答を送信することと、
を含む方法。
【請求項２】
前記第１のコメント及び前記第２のコメントに応答する前記要求をトリガするコマンドオプションを前記端末装置によって提供することをさらに含む、請求項１に記載の方法。
【請求項３】
第２の対象グループを取得するために、前記端末装置によって前記応答対象のコメントをフィルタリングすることであって、前記第２の対象グループが、フィルタリングされた応答対象のコメントを含むことを更に含み、前記応答対象のコメントのそれぞれに前記応答を前記端末装置によって送信することが、前記フィルタリングされた応答対象のコメントのそれぞれに前記応答を前記端末装置によって送信することを含む、請求項１に記載の方法。
【請求項４】
前記第１の対象グループを前記端末装置によって決定することが、前記第１の対象グループに含まれる前記応答対象のコメントの全て又は一部の内容を前記端末装置によって表示することを含む、請求項１に記載の方法。
【請求項５】
前記端末装置によって、前記複数のコメントから前記第１の対象グループを決定することが、
前記コメントから少なくとも１つの応答対象のコメントを前記端末装置によって決定することであって、前記少なくとも１つ応答対象のコメントが、前記第１のコメントに含まれるキーワードと共通する又は同義である少なくとも１つのキーワードを有することと、
前記少なくとも１つの応答対象のコメントの作成者と、前記コメントを受信するユーザとの間の関係を前記端末装置によって決定することと、
前記関係に基づいて前記第１の対象グループを前記端末装置によって決定することと、
を含む、請求項１に記載の方法。
【請求項６】
前記関係に基づいて前記第１の対象グループを前記端末装置によって決定することが、前記応答対象のコメントの作成者と前記ユーザとの間の相異なる関係に基づいて前記第１の対象グループの複数のサブ対象グループを前記端末装置によって決定することを含み、
前記方法が、前記選択されたサブ対象グループを取得するために、前記サブ対象グループをフィルタリングするコマンドオプションを前記端末装置によって提供することを更に含み、
前記応答対象のコメントのそれぞれに前記応答を送信することが、前記選択されたサブ対象グループにおけるに前記応答を前記端末装置によって送信することを含む、請求項５に記載の方法。
【請求項７】
前記応答対象のコメントのそれぞれのための応答を前記端末装置によって生成することを更に含む、請求項１に記載の方法。
【請求項８】
前記応答対象のコメントのそれぞれのための前記応答を前記端末装置によって生成することが、
前記応答を前記端末装置によって取得することと、
前記応答対象のコメントのそれぞれのための応答を前記端末装置によって生成することと、
を含む、請求項７に記載の方法。
【請求項９】
前記応答対象のコメントのそれぞれのための前記応答を前記端末装置によって生成することが、 
前記応答の多数のバージョンを取得するために、前記取得された応答を前記端末装置によって修正することであって、前記多数のバージョンのそれぞれが、前記応答対象のコメントの１つに応答することを更に含む、請求項８に記載の方法。
【請求項１０】
前記応答対象のコメントのそれぞれのための前記応答を前記端末装置によって生成することが、相異なるタイムスタンプを備えた、前記応答対象のコメントのそれぞれのための応答を前記端末装置によって生成することを含む、請求項１に記載の方法。
【請求項１１】
前記公開投稿に関する新しいコメントが取得された場合に、応答された古いコメントと前記新しいコメントとの間の類似の内容を前記端末装置によって決定することと、
新しいコメントが、応答された古いコメントと類似の内容を有する場合に、前記新しいコメントへの応答として前記古いコメントへの応答を前記端末装置によって用いることと、
を更に含む、請求項１に記載の方法。
【請求項１２】
コメントに応答するための方法であって、
公開投稿に関する複数のコメントを端末装置によって表示することと、
前記複数のコメントからの第１のコメントのユーザによる選択を前記端末装置によって受信することと、
前記受信に応じて、前記第１のコメントに加えて、前記複数のコメントからの１つ又は複数のコメントに対して、まとめて応答するためのインタフェースを前記端末装置によって前記ユーザに提供することと、 
前記第１のコメントに加えて第２のコメントに応答する要求を前記端末装置によって前記インタフェースを介して取得することと、
前記第１のコメントに加えて前記第２のコメントに応答する前記要求を前記端末装置によってサーバに送信することと、
前記端末装置によって前記サーバから、前記複数のコメントに基づく第１の対象グループを取得することであって、前記第１の対象グループが、前記第１のコメントに含まれるキーワードと共通する又は同義である少なくとも１つのキーワードを有する応答対象のコメントを含むことと、
前記サーバによって返された前記第１の対象グループに従って、前記応答対象のコメントを前記端末装置によって決定することと、
前記第１の対象グループに含まれる前記応答対象のコメントを前記端末装置によって表示することと、
前記応答対象のコメントへの応答であって、前記ユーザによって入力された応答を前記端末装置によって受信することと、
前記第１の対象グループに含まれる前記応答対象のコメントに前記応答を前記端末装置によって送信することと、
を含む方法。
【請求項１３】
前記応答対象のコメントをフィルタリングする要求を前記端末装置によって取得することと、
第２の対象グループを取得するために、前記応答対象のコメントを前記端末装置によってフィルタリングすることであって、前記第２の対象グループが、フィルタリングされた応答対象のコメントを含むことと、
を更に含み、
前記応答対象のコメントに前記応答を前記端末装置によって送信することが、前記フィルタリングされた応答対象のコメントに前記応答を前記端末装置によって送信することを含む、請求項１２に記載の方法。
【請求項１４】
１つ又は複数のプログラムを格納する非一時的なコンピュータ可読記憶媒体であって、前記１つ又は複数のプログラムが、命令であって、コンピュータシステムのプロセッサによって実行された場合に、コメントに応答するための方法を前記コンピュータシステムに実行させる命令を含み、前記方法が、
公開投稿に関する複数のコメントの表示を行うことと、
前記複数のコメントからの第１のコメントのユーザによる選択を受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて前記複数のコメントからの第２のコメントに応答する要求を取得することと、
前記複数のコメントから第１の対象グループを決定することであって、前記第１の対象グループが、前記第１のコメントに含まれるキーワードと共通する又は同義である少なくとも１つのキーワードを有する応答対象のコメントを含むことと、
前記第１の対象グループに含まれる前記応答対象のコメントの表示を行うことと、
前記第１のコメント及び前記第２のコメントに対する応答であって、前記ユーザによって入力された応答を受信することと、
前記第１の対象グループに含まれる前記応答対象のコメントのそれぞれに前記応答を送信することと、
を含む、非一時的なコンピュータ可読記憶媒体。
【請求項１５】
前記方法が、第２の対象グループを取得するために前記応答対象のコメントをフィルタリングすることを更に含み、前記第２の対象グループが、フィルタリングされた応答対象のコメントを含み、前記応答対象のコメントのそれぞれに前記応答を送信することが、前記フィルタリングされた応答対象のコメントのそれぞれに前記応答を送信することを含む、請求項１４に記載の非一時的なコンピュータ可読記憶媒体。
【請求項１６】
前記複数のコメントから前記第１の対象グループを決定することが、
前記コメントから少なくとも１つの応答対象のコメントを決定することであって、前記少なくとも１つの応答対象のコメントが、前記第１のコメントに含まれるキーワードと共通する又は同義である少なくとも１つのキーワードを有することと、
前記少なくとも１つの応答対象のコメントの作成者と、前記コメントを受信するユーザとの間の関係を決定することと、
前記関係に基づいて前記第１の対象グループを決定することと、
を含む、請求項１４に記載の非一時的なコンピュータ可読記憶媒体。
【請求項１７】
前記関係に基づいて前記第１の対象グループを決定することが、前記応答対象のコメントの作成者と前記ユーザとの間の相異なる関係に基づいて前記第１の対象グループの複数のサブ対象グループを決定することを含み、
前記方法が、前記選択されたサブ対象グループを取得するために、前記サブ対象グループをフィルタリングするコマンドオプションを提供することを更に含み、
前記応答対象のコメントのそれぞれに前記応答を送信することが、前記選択されたサブ対象グループにおける応答対象のコメントに前記応答を送信することを含む、請求項１６に記載の非一時的なコンピュータ可読記憶媒体。
【請求項１８】
前記方法が、
前記応答を取得することと、
前記応答の多数のバージョンを取得するために、前記取得された応答を修正し、前記応答対象のコメントのそれぞれのための前記応答を生成することであって、前記多数のバージョンのそれぞれが、前記応答対象のコメントの１つに応答することと、
を更に含む、請求項１４に記載の非一時的なコンピュータ可読記憶媒体。
【請求項１９】
１つ又は複数のプログラムを格納する非一時的なコンピュータ可読記憶媒体であって、前記１つ又は複数のプログラムが、命令であって、コンピュータシステムのプロセッサによって実行された場合に、コメントに応答するための方法を前記コンピュータシステムに実行させる命令を含み、前記方法が、
公開投稿に関する複数のコメントの表示を行うことと、
前記複数のコメントからの第１のコメントのユーザによる選択を受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて前記複数のコメントからの第２のコメントに応答する要求を取得することと、
前記第１のコメントに加えて前記第２のコメントに応答する前記要求をサーバに送信することと、
前記複数のコメントに基づく第１の対象グループを前記サーバから取得することであって、前記第１の対象グループが、前記第１のコメントに含まれるキーワードと共通する又は同義である少なくとも１つのキーワードを有する応答対象のコメントを含むことと、
前記サーバによって返された前記第１の対象グループに従って前記応答対象のコメントを決定することと、
前記第１の対象グループに含まれる前記応答対象のコメントの表示を行うことと、
前記応答対象のコメントへの応答であって、前記ユーザによって入力された応答を受信することと、
前記第１の対象グループに含まれる前記応答対象のコメントに前記応答を送信することと、
を含む、非一時的なコンピュータ可読記憶媒体。 
【請求項２０】
前記方法が、
前記応答対象のコメントをフィルタリングする要求を取得することと、
第２の対象グループを取得するために前記応答対象のコメントをフィルタリングすることであって、前記第２の対象グループが、フィルタリングされた応答対象のコメントを含むことと、
を更に含み、
前記応答対象のコメントに前記応答を送信することが、前記フィルタリングされた応答対象のコメントに前記応答を送信することを含む、請求項１９に記載の非一時的なコンピュータ可読記憶媒体。
【発明の詳細な説明】
【技術分野】
【０００１】
関連出願の相互参照
本出願は、２０１５年５月１５日出願の中国特許出願第２０１５１０２５０７３５．４号に基づき、且つその優先権の利益を主張し、その出願の内容全体が、参照によって本明細書に援用される。
【０００２】
技術分野
本出願は、コメントに応答するための方法、機器及びシステムに関する。
【背景技術】
【０００３】
背景
インターネット技術及び端末装置の最近の発達と共に、ソーシャルネットワークは、人々の生活のますます重要な部分になった。それらは、我々の情報の取得方法、考え方及び生活様式に影響を及ぼす可能性がある。仮想空間において、ユーザは、自らの交友関係を管理し、且つ情報の取得、自己紹介及びマーケティング用の手段としてソーシャルネットワークを利用することができる。
【０００４】
例えば、ソーシャルネットワークユーザは、写真を含む投稿をアップロードし公開するか、自分の身元を公開するか、又は記事を共有することができる。ユーザは、自分の投稿に関するコメントを受信し、それらのコメントに応答し、対話型オンライン環境を形成してもよい。
【０００５】
幾つかの状況において、著名人などのユーザは、自分の投稿に関して他のユーザから多くのコメントを受信する可能性がある。１つの投稿に関するコメントの数は、数千以上になる可能性がある。現在の技術は、ユーザが、１つずつ又は一斉にコメントに応答できるようにするだけである。１つずつ全てのコメントに応答することは、かなりの時間をユーザに費やさせ、時には類似の応答を繰り返しタイプすることを伴う可能性がある。他方でユーザが応答しないことを選択した場合に、それは、不作法を意味する可能性があり、ユーザの世間体に影響を及ぼし得る。従って、かかる用途のためのより優れた応答方法を開発することが重要である。
【発明の概要】
【課題を解決するための手段】
【０００６】
概要
本開示の一態様は、コメントに応答するための方法に関する。方法は、公開投稿に関する複数のコメントに応答する要求を端末装置によって取得することと、端末装置によって、複数のコメントから第１の対象グループを決定することであって、第１の対象グループが、類似の内容を有する応答対象を含むことと、端末装置によって、応答対象のそれぞれに応答を送信することと、を含んでもよい。
【０００７】
本開示の別の態様は、コメントに応答するための方法に関する。方法は、受信端末装置によって実行されてもよい。方法は、応答対象への応答を取得することであって、第１の対象グループが応答対象を含み、第１の対象グループが、類似の内容を共有するコメントであることと、応答を表示することと、を含んでもよい。
【０００８】
本開示の別の態様は、コメントに応答するための機器に関する。機器は、公開投稿に関する複数のコメントに応答する要求を取得するように構成された要求取得ユニットと、複数のコメントから第１の対象グループを決定するように構成された類似性決定ユニットであって、第１の対象グループが、類似の内容を有する応答対象を含む類似性決定ユニットと、応答対象のそれぞれに応答を送信するように構成された応答送信ユニットと、含んでもよい。
【０００９】
本開示の別の態様は、コメントに応答するための機器に関する。機器は、公開投稿に関する複数のコメントに応答する要求をサーバに送信するように、且つ複数のコメントに基づく第１の対象グループをサーバから取得するように構成された要求送信ユニットであって、第１の対象グループが、類似の内容を有する応答対象を含む要求送信ユニットと、サーバによって返された第１の対象グループに従って応答対象を決定するように構成された応答対象決定ユニットと、応答対象への応答を決定するように構成された応答決定ユニットと、応答対象に応答を送信するように構成された応答送信ユニットと、を含んでもよい。
【００１０】
本開示の別の態様は、コメントに応答するための機器に関する。機器は、応答対象への応答を取得するように構成された応答取得ユニットであって、第１の対象グループが応答対象を含み、第１の対象グループが、類似の内容を共有するコメントである応答取得ユニットと、応答を提供するように構成された応答提供ユニットと、を含んでもよい。
【００１１】
本開示の別の態様は、１つ又は複数のプログラムを格納する非一時的なコンピュータ可読記憶媒体に関する。１つ又は複数のプログラムは、コンピュータシステムのプロセッサによって実行された場合に、コンピュータシステムに方法を実行させる命令を含む。方法は、公開投稿に関する複数のコメントに応答する要求を取得することと、複数のコメントから第１の対象グループを決定することであって、第１の対象グループが、類似の内容を有する応答対象を含むことと、応答対象のそれぞれに応答を送信することと、を含んでもよい。
【００１２】
本開示の別の態様は、１つ又は複数のプログラムを格納する非一時的なコンピュータ可読記憶媒体に関する。１つ又は複数のプログラムは、コンピュータシステムのプロセッサによって実行された場合に、コンピュータシステムに方法を実行させる命令を含む。方法は、公開投稿に関する複数のコメントに応答する要求をサーバに送信することと、複数のコメントに基づく第１の対象グループをサーバから取得することであって、第１の対象グループが、類似の内容を有する応答対象を含むことと、サーバによって返された第１の対象グループに従って応答対象を決定することと、応答対象への応答を決定することと、応答対象に応答を送信することと、を含む。
【００１３】
本開示の別の態様は、１つ又は複数のプログラムを格納する非一時的なコンピュータ可読記憶媒体に関する。１つ又は複数のプログラムは、コンピュータシステムのプロセッサによって実行された場合に、コンピュータシステムに方法を実行させる命令を含む。方法は、応答対象への応答を取得することであって、第１の対象グループが、応答対象を含み、第１の対象グループが、類似の内容を共有するコメントであることと、応答を提供することと、を含む。
【００１４】
本開示の追加の特徴及び利点は、以下の詳細な説明においてある程度明示され、且つ説明からある程度明白になるか、又は本開示の実施によって学習されてもよい。本開示の特徴及び利点は、添付の特許請求の範囲において特に指摘される要素及び組み合わせによって実現され達成される。
【００１５】
前述の概要及び以下の詳細な説明が、単に例示的で説明のためであり、クレームされるように本発明を限定するものでないことを理解されたい。
【００１６】
図面の簡単な説明
本明細書の一部を構成する添付の図面は、幾つかの実施形態を示し、且つ記載と共に、開示される原理を説明する働きをする。
【図面の簡単な説明】
【００１７】
【図１】例示的な実施形態に従って、コメントに応答するための方法を示す流れ図である。
【図２】例示的な実施形態による、コメントへの応答の図的表現である。
【図３】例示的な実施形態による、コメントへの応答の図的表現である。
【図４】例示的な実施形態に従って、コメントに応答するための別の方法を示す流れ図である。
【図５】例示的な実施形態に従って、コメントへの応答を取得するための方法を示す流れ図である。
【図６】例示的な実施形態に従って、コメントに応答するための機器を示すブロック図である。
【図７】例示的な実施形態に従って、コメントに応答するための別の機器を示すブロック図である。
【図８】例示的な実施形態に従って、コメントへの応答を取得するための別の機器を示すブロック図である。
【発明を実施するための形態】
【００１８】
詳細な説明
ここで、例示的な実施形態を詳細に参照する。それらの実施形態の例は、添付の図面に示される。以下の説明は、添付の図面を参照し、それらの図面では、別段の表現がなされていない限り、相異なる図面における同じ数は、同じか又は同様の要素を表す。本発明と一致する例示的な実施形態における以下の説明で明らかにされる実装形態は、本発明と一致する全ての実装形態を表すわけではない。そうではなく、それらは、単に、添付の特許請求の範囲に列挙されているような本発明に関連する態様と一致するシステム及び方法の例である。
【００１９】
コメントに応答するための便宜を提供するために、本開示の例示的な実施形態と一致して、コメントの内容は、類似点を得るために解析され、類似コメントのグループが決定される。ユーザは、類似コメントのグループにおける全てのコメントに一度だけ応答することができる。
【００２０】
［例示的な実施形態１］
図１は、例示的な実施形態に従って、コメントに応答するための方法１００を示す流れ図である。方法１００は、多数のステップを含んでもよく、ステップの幾つかは、任意選択であってもよい。方法１００は、端末装置又はサーバによって実行されてもよく、端末装置及びサーバは、それぞれ、プロセッサと、命令を格納する非一時的なコンピュータ可読記憶媒体と、を含む。命令は、プロセッサによって実行された場合に、以下で説明されるステップを実行する。方法１００はまた、端末装置及び／又はサーバを含むシステムによって実行されてもよい。
【００２１】
ステップ１０１において、システムは、公開投稿に関する複数のコメントに応答する要求を取得する。公開投稿は、ユーザＡが、ソーシャルネットワーク上で公開するもの全て、例えば身元、写真、共有リンクとすることができる。公開投稿に関する複数のコメントは、他のユーザ、例えばＢ、Ｃ、Ｄによって作成され得る。Ａは、Ｂ、Ｃ及びＤと相互のネット友達であってもよく、例えばＡ及びＢは、ソーシャルネットワーク上で互いに友達である。オンライン友情関係はまた、一方的になり得る。例えば、Ｂは、Ａを定期購読しているか、又はＢは、Ａのフォロワーである。従って、Ｂは、Ａの投稿に関してコメントすることができるが、しかしＡは、Ｂを定期購読しておらず、Ｂのフォローもしていない可能性がある。コメンティング規則は、個々のソーシャルネットワークによって設定され得る。
【００２２】
本開示の例示的な実施形態と一致して、ユーザは、多数のコメントに一斉に応答することができる。一例において、幾つかのコメントにまとめて応答する選択肢が、コメントを表示するインターフェースで提供され得、その結果、ユーザは、必要に応じて、その選択肢を選択することができる。幾つかの実施形態において、ユーザは、多数のコメントの１つに応答することができる。ユーザが、応答したいと思うコメントを選択した後で、選択されたコメントに加えて更に多くのコメントにまとめて応答する選択肢が、コメントを表示するインターフェースにおいて提供され得る。即ち、ユーザが、例えば対象コメントをクリックすることによって、対象コメントを選択した場合に、選択されたコメントに加えて更に多くのコメントにまとめて応答する選択肢が提供され得る。従って、ユーザは、一斉に応答するために、より多くのコメントを選択することができる。図２に示されている一例において、ユーザが、人物Ｅのコメントをクリックした場合に、ユーザが応答コメントを入力するための入力テキストボックスが提供され得る。テキストボックスはまた、選択されたコメントに加えて更に多くのコメントにまとめて応答する選択肢を提供できる「＋」符号又は任意の他の符号を有してもよい。従って、ユーザは、「＋」符号をクリックすることによって、選択されたコメントと一緒に追加コメントに応答することができる。
【００２３】
幾つかの例示的な実施形態において、上記の要求は、ユーザから端末装置によって取得されてもよい。他の幾つかの例示的な実施形態において、要求は、端末装置からサーバによって取得されてもよい。
【００２４】
ステップ１０２において、システムは、複数のコメントから第１の対象グループを決定し、第１の対象グループは、類似の内容を有する応答対象を含む。
【００２５】
本開示の幾つかの例示的な実施形態と一致して、上記の要求が取得された後で、複数のコメントの内容が解析され得、類似の内容は、システムによって決定することができる。類似の内容の又は類似の意味を有するコメントは、一緒にグループ化することができ、その結果、それらは、一斉に応答することができる。
【００２６】
類似の内容を決定するために内容を解析する多くの方法があり得る。幾つかの実施形態において、共通のキーワードが、類似の内容を示すために識別され得る。また、事前設定の同義語表が、内容を解析し、且つ類似の内容を示すために用いられ得る。一例において、コメントＡは、「減量しましたね」と書かれていてもよく、コメントＢは、「ちょっと減量しましたね（笑）」と書かれていてもよい。両方のコメントは、キーワード「減量した」故に、非常に似た内容を有すると決定することができ、一緒にグループ化することができる。加えて、コメントＣは、「ダイエットしているのですか？」と書かれていてもよい。コメントＣは、キーワード「減量した」を含まないが、「ダイエットする」は、「減量した」の同義語である、即ち同じ同義語表にあると決定されてもよく、それらは、類似の内容を有すると決定することができる。ステップ１０２によって、類似の内容を有する１つ又は複数のコメントを含む第１の対象グループを決定することができる。
【００２７】
幾つかの例示的な実施形態において、ステップ１０２は、端末装置によって実行されてもよい。他の幾つかの例示的な実施形態において、ステップ１０２は、サーバによって実行されてもよい。例えば、端末装置は、ステップ１０２を実行するように、且つ第１の対象グループを決定するようにサーバに要求してもよい。
【００２８】
本開示の例示的な実施形態と一致して、第１の対象グループを決定した後で、端末装置又はサーバは、第１の対象グループにおける応答対象の全ての又は部分的な内容を表示するために、応答編集インターフェースを生成してもよい。従って、ユーザは、第１の対象グループが、適切に決定されたかどうかを、即ち、ユーザが、第１の対象グループに表示コメントを含めたいかどうかを決定することができる。インターフェースはまた、コメントのそれぞれのためにコマンドオプションを提供してもよく、コメントは、選択された状態であってもよい。コマンドオプションは、チェックボックスとして提供されてもよい。チェックボックスは、多数のコメントの選択を可能にしてもよい。チェックボックスコマンドオプションは、各コメントの前又は後で提供されてもよい。ユーザが、コメントを選択したい場合に、ユーザは、その対応するチェックボックスをチェックしてもよい。幾つかのコメントを選択した後で、追加コメントが、それらの対応するチェックボックスをチェックすることによって選択されてもよい。幾つかの実施形態において、第１の対象グループの応答対象は、第２の対象グループを取得するために、スクリーニング又はフィルタリングされてもよい。第２の対象グループは、スクリーニング又はフィルタリングされた応答対象を含んでもよい。スクリーニング又はフィルタリングプロセスは、第１の対象グループに応答対象を追加すること、及び／又は第１の対象グループから応答対象を削除することを含んでもよい。
【００２９】
例えば、図２に示されているように、ユーザが、コメントＥをクリックした場合に、入力テキストボックスが、応答メッセージを入力するために提供され得る。符号、例えば「＋」が、提供され得、符号のクリッキングは、コマンドオプションをトリガすることができる。従って、ユーザが、多数のコメントに応答したい場合に、ユーザは、類似の内容のコメントを決定するために符号をクリックすることができる。第１の対象グループが取得された後で、図３に示されているように、応答編集インターフェースが提供され得、且つチェックボックスが、各コメントの前に提供され得、その結果、ユーザは、まとめて応答するコメントを選択することができる。
【００３０】
ステップ１０２で決定された第１の対象グループの各コメントは、そのコマンドオプションが提供された場合に、選択された状態とすることができる。従って、ユーザは、各コメントにまとめて応答することができる。幾つかの実施形態において、応答編集インターフェースにおける全てのコメントは、選択されても非選択でも、操作することができる。例えば、ユーザは、コメントを手動で選択及び／又は操作することができる。一実施形態において、ユーザが、応答する対象グループに幾つかの非選択のコメントを含めたい場合に、ユーザは、それらのコメントを選択することができる。他の幾つかの実施形態において、ユーザが、幾つかの選択されたコメントを対象グループから排除したい場合に、ユーザは、それらのコメントを非選択にすることができる。
【００３１】
幾つかの実施形態において、各コメントは、対応する動作コマンドオプションを有し、その動作コマンドオプションを通して各コメントが選択され得る。１つ又は複数のコメントが選択された後で、追加コメントを選択することができる。選択されたコメントはまた、非選択にすることができる。選択／非選択は、例えば、図３に示されている「ＯＫ」ボタンをクリックすることによって送信することができる。幾つかの実施形態において、幾つかのコメントが、既に選択された状態であり、ユーザが、より多くのコメントを選択したいとも思わず、どのコメントも非選択にしたいと思わない場合に、「ＯＫ」ボタンのクリッキングは、選択されたコメントを送信する。第２の対象グループが、その送信から決定されてもよい。第２の対象グループの幾つかのコメントは、その送信に基づいてもよい。第２の対象グループの幾つかのコメントはまた、第１の対象グループのコメントであってもよい。第２及び第１の対象グループは、幾つかの相異なるコメントを有してもよい。第１の対象グループは、予測、例えば機械予測によって決定されてもよい。第２の対象グループは、ユーザの実際の必要性に基づいて、ユーザによって決定されてもよい。
【００３２】
幾つかの実施形態において、応答編集インターフェースは、上記の動作コマンドに加えて、応答を入力する入力ボックスを含んでもよい。例えば、ユーザは、応答、例えばテキスト又は写真を入力ボックスに入力し、「送信」ボタンをクリックすることによって応答を送信してもよい。従って、ユーザによって入力された応答及び／又はコマンドオプションは、応答編集インターフェースを介して送信することができる。
【００３３】
ステップ１０２は、端末装置によって実行されてもよい。ステップ１０２はまた、サーバによって実行されてもよい。
【００３４】
ステップ１０３において、システムは、第１の対象グループにおける応答対象のそれぞれに応答を送信する。
【００３５】
幾つかの実施形態において、上記の第１又は第２の対象グループは、ユーザがまとめて応答したいコメントとすることができる。ユーザはまた、第１又は第２の対象グループへの配信用の応答を入力することができる。応答は、第１又は第２の対象グループの各コメントに応答するために再生成することができる。例えば、１０のコメントが、まとめて応答されることになった場合に、応答は、１０のコメントのそれぞれに応答するために１０回生成することができる。図３に示されている一実施形態において、４つのコメントが、まとめて応答されるように選択される。ユーザが、「とても幸せです、エヘヘ」と入力ボックスに応答として入力した場合に、選択されたコメントへの応答は、「Ａへの応答：とても幸せです、エヘヘ」、「Ｂへの応答：とても幸せです、エヘヘ」、「Ｃへの応答：とても幸せです、エヘヘ」及び「Ｅへの応答：とても幸せです、エヘヘ」として生成することができる。従って、ユーザは、簡略化された方法及び節約された動作コストで、４つの全てのコメントに同時に応答することができる。システムの観点からすると、インターネット伝送資源を節約することができる。
【００３６】
幾つかの実施形態において、応答は、端末装置又はサーバによって生成することができる。例えば、提案される応答を含む応答コーパスを提供することができる。提案される応答のそれぞれは、コメントから識別されたキーワードに関連付けることができる。従って、多数のコメントへの提案される応答は、多数のコメント間で共有される類似のキーワードに基づいて生成することができる。応答コーパスの一実施形態において、キーワード「減量した」は、「とても幸せです、エヘヘ」の提案される応答に対応する。従って、図３に示されているコメントＡ、Ｂ及びＥへの提案される応答は、「とても幸せです、エヘヘ」として生成することができる。
【００３７】
ステップ１０３は、端末装置又はサーバによって実行することができる。提案される応答が、端末装置によって生成される場合に、端末装置は、提案される応答及び第１／第２の対象グループをサーバに送信することができる。従って、サーバは、第１／第２の対象グループにおけるコメントの作成者に応答に関して通知することができる。他の幾つかの実施形態において、コメントへの応答を送信するユーザの端末装置は、コメントの作成者の個々の端末装置に応答を送信することができる。
【００３８】
コメント間の類似の内容を決定し、且つ類似の内容を有するコメントにまとめて応答することによって、ユーザの動作ステップは、能率の増進を伴って単純化することができ、インターネット資源は、節約することができる。
【００３９】
まとめてコメントに応答する幾つかの実施形態において、内容の類似性に加えて他の要因が、第１／第２の対象グループを決定するために用いられ得る。他の要因は、コメントの作成者とコメントを受信するユーザとの間の関係を含んでもよい（例えば、彼（彼女）らが、相互に友達であるか又は互いにフォローされている場合）。一例において、２つのコメントは、類似の内容を有するが、しかし彼らの１人（コメント作成者ジェニー）は、コメントを受信するユーザの親友であり、彼らの通信履歴から、彼らが互いに頻繁に通信することが決定され得る。対照的に、もう一方のコメント作成者（アリス）は、アリスとそれほど対話しない、ユーザの単なるフォロワーである。この例において、ユーザは、ジェニーとアリスに違った風に応答したいと思う可能性がある。実例として図２を用いると、ユーザＡが、ユーザの親友である場合に、ユーザは、「そうだよ（笑）」を用いてユーザＡに簡単に応答したいと思うかもしれない。ユーザＢが、単にユーザのフォロワーである場合に、ユーザは、ユーザＢに、例えば「とても幸せです、ありがとう」を用いて、より形式的に応答したいと思うかも知れない。
【００４０】
従って、内容の類似性の決定に加えて、コメント作成者とコメントを受信するユーザとの間の関係などの要因が、第１／第２の対象グループを決定するために用いられ得る。作成者及びユーザの接触リスト、友達リスト、及びフォロワーリスト（彼らがフォローする人々のリスト）が、関係を決定するために用いられ得る。加えて、彼らの間の通信履歴が、彼らがどれくらい親密かを決定するために用いられ得る。決定された関係及び／又は決定された親密さレベルに基づいて、１つ又は複数のサブ対象グループが、第１の対象グループから決定され得、サブ対象グループのそれぞれは、類似の内容を有するグループ化された応答対象と、ユーザとの類似の関係を有する各サブ対象グループのグループ化された応答対象の作成者と、を含む。
【００４１】
幾つかの実施形態において、グループ化規則は、コメント作成者をグループ化するために確立することができる。例えば、コメント作成者は、親友及び普通の友達などのカテゴリにグループ化することができる。一例において、コメント作成者が、ユーザの友達リストに載っているか又はユーザによってフォローされている場合、且つ両者の通信履歴による両者間の対話レベルが閾値以上である場合に、コメント作成者は、親友として分類することができる。別の例において、コメント作成者が、ユーザの友達リストに載っているか又はユーザによってフォローされている場合、且つ両者の通信履歴による両者間の対話レベルが閾値未満である場合に、コメント作成者は、普通の友達として分類することができる。従って、類似の内容のコメント又は応答対象は、コメントの作成者と、コメントを受信するユーザとの間の関係に従って、サブ対象グループに分類することができる。一例において、ユーザによる公開投稿は、１００のコメントを受信する。１００のうちの５０のコメントは、５０人の作成者による類似の内容を有する。５０のうちの２０のコメントの作成者は、ユーザの親友カテゴリにいる。他の３０のコメントの作成者は、ユーザの通常の友達カテゴリにいる。従って、２つのサブ対象グループ（２０人の作成者及び３０人の作成者）は、第１の対象グループ（５０人の作成者）から決定することができる。
【００４２】
応答編集インターフェースにおいて、サブ対象グループに関連する動作コマンドオプションを提供することができる。従って、ユーザは、１つのサブ対象グループを選択し、それにまとめて応答し、その後インターフェースに戻って別のサブ対象グループに応答することができる。
【００４３】
幾つかの実施形態において、応答は、外見的には機械によって生成されたことを避けるように修正することができる。例えば、同じタイムスタンプを備えた、応答で複数回用いられる同じ内容は、それが機械によって生成されたように見える可能性がある。かかる状況を回避するために、幾つかの実施形態において、応答が取得された後で、応答は、類似の内容の多数のバージョンを有するように修正することができる。多数のバージョンは、類似の意味を有してもよく、多数のバージョンのそれぞれは、応答対象の１つに応答するものであってもよい。これらの近いバージョンが、応答として用いられる場合に、応答は、互いに異なって見えることが可能である。応答の多数のバージョンの生成は、事前設定の同義語表／リストに基づくことができる。例えば、応答が「もちろん」であり、且つ事前設定の同義語表に従って、「もちろん」が、同義語「確かに」及び「イエス」を有する場合に、それらは、相異なる応答バージョンとして生成することができる。従って、相異なる応答バージョンは、第２の対象グループに応答するために用いることができる。加えて、相異なる応答バージョンは、相異なる時刻に送信することができ、その結果、応答は、相異なるタイムスタンプで受信され得る。応答対象のそれぞれのための応答はまた、相異なるタイムスタンプで生成されてもよい。
【００４４】
幾つかの実施形態において、投稿に関する新しいコメントは、相異なる時刻に受信されてもよい。コメントを受信するユーザは、幾つかの古いコメントに応答した後で、新しいコメントに応答する必要がある可能性がある。新しいコメント及び古いコメントの間で類似の内容を決定することができる。新しいコメントが、応答された古いコメントと類似の内容を有する場合に、古いコメントへの応答は、新しいコメントへの応答として用いることができる。従って、新しいコメントは、より少ない動作コストで自動的に応答され得る。
【００４５】
上記のステップは、端末装置若しくはサーバによってか又は両方の組み合わせによって実行することができる。より多くの例示的な実施形態が、以下で説明される。
【００４６】
［例示的な実施形態２］
例示的な実施形態２は、端末装置ユーザの観点からの実例を提供する。端末装置ユーザは、コメントに応答するユーザを指してもよい。例えば、ユーザのアリスが、投稿を公開した後で、他のユーザが、投稿にコメントし、アリスは、そのコメントに自分の端末装置から応答する必要がある。
【００４７】
図４は、例示的な実施形態に従って、コメントに応答するための別の方法４００を示す流れ図である。方法４００は、以下のステップを含んでもよい。方法４００は、多数のステップを含んでもよく、それらのステップの幾つかは、任意選択であってもよい。方法４００は、プロセッサと、命令を格納する非一時的なコンピュータ可読記憶媒体と、を含む端末装置及び／又はサーバによって実行されてもよい。命令は、プロセッサによって実行された場合に、ステップを実行する。
【００４８】
ステップ４０１において、端末装置は、公開投稿に関する複数のコメントに応答する要求をサーバに送信し、サーバは、複数のコメントから第１の対象グループを決定し、且つ第１の対象グループを端末装置に返す。第１の対象グループは、類似の内容を有する応答対象を含む。
【００４９】
ステップ４０２において、端末装置は、サーバによって返された第１の対象グループに従って応答対象を決定する。
【００５０】
サーバから第１の対象グループを取得した後で、端末装置は、第１の対象グループの応答対象に対してグループ化／フィルタリングを更に実行してもよい。
【００５１】
ステップ４０３において、端末装置は、応答対象への応答を決定する。
【００５２】
応答は、端末装置のユーザによって入力された内容に基づくことができる。応答はまた、事前設定の応答コーパスによって自動生成することができる。
【００５３】
ステップ４０４において、端末装置は、応答対象に応答を送信する。
【００５４】
応答は、端末装置送信部に端末装置によって送信することができる。応答はまた、サーバに送信することができ、サーバは、応答対象の端末装置に応答を送信する。
【００５５】
本実施形態の詳細なステップは、例示的な実施形態１に関連して上記で説明されたので、ここでは反復されない。
【００５６】
［例示的な実施形態３］
例示的な実施形態３は、受信端末装置ユーザの観点、即ち投稿に関してコメントし、且つそのコメントへの応答を受信するユーザの観点からの実例を提供する。図５は、例示的な実施形態に従って、コメントへの応答を取得するための方法５００を示す流れ図である。方法５００は、多数のステップを含んでもよく、それらの幾つかは、任意選択であってもよい。方法５００は、プロセッサと、命令を格納する非一時的なコンピュータ可読記憶媒体と、を含む端末装置及び／又はサーバによって実行されてもよい。命令は、プロセッサによって実行された場合に、ステップを実行する。
【００５７】
ステップ５０１において、受信端末装置は、応答対象への応答を取得し、第１の対象グループは、応答対象を含み、第１の対象グループは、類似の内容を共有するコメントである。
【００５８】
ステップ５０２において、受信端末装置は、例えば応答を表示することによって、受信端末装置のユーザに応答を提供する。
【００５９】
図６は、例示的な実施形態に従って、コメントに応答するための機器６００を示すブロック図である。機器６００は、次のものを含んでもよい。即ち、
公開投稿に関する複数のコメントに応答する要求を取得するように構成された要求取得ユニット６０１と、
複数のコメントから第１の対象グループを決定するように構成された類似性決定ユニット６０２であって、第１の対象グループが、類似の内容を有する応答対象を含む類似性決定ユニット６０２と、
応答対象のそれぞれに応答を送信するように構成された応答送信ユニット６０３と、を含んでもよい。
【００６０】
幾つかの実施形態において、機器６００は、コメントの１つ又は複数が選択された場合に、公開投稿に関するコメントの１つ又は複数に応答する要求をトリガするコマンドオプションを提供するように構成されたトリガユニットを更に含んでもよい。
【００６１】
幾つかの実施形態において、機器６００は、第２の対象グループを取得するために応答対象をフィルタリングするように構成されたフィルタリングユニットであって、第２の対象グループが、フィルタリングされた応答対象を含むフィルタリングユニットを更に含んでもよい。
【００６２】
応答送信ユニット６０３は、フィルタリングされた応答対象のそれぞれに応答を送信するように更に構成されてもよい。
【００６３】
幾つかの実施形態において、機器６００は、応答対象の全ての又は一部の内容を表示するように構成されたディスプレイユニットを更に含んでもよい。
【００６４】
類似性決定ユニット６０２は、次のものを含んでもよい。即ち、
コメントから少なくとも１つの応答対象を決定するように構成された応答対象決定サブユニットであって、少なくとも１つの応答対象が、類似の内容を有する応答対象決定サブユニットと、
少なくとも１つの応答対象の作成者と、コメントを受信するユーザとの間の関係を決定するように構成された関係決定サブユニットと、
その関係に基づいて第１の対象グループを決定するように構成された対象グループ決定サブユニットと、を含んでもよい。
【００６５】
対象グループ決定サブユニットは、相異なる関係に基づいて、第１の対象グループにおける複数のサブ対象グループを決定するように更に構成されてもよく、サブ対象グループのそれぞれは、類似の内容を有するグループ化された応答対象を含み、グループ化された応答対象の作成者は、ユーザとの類似の関係を有する。
【００６６】
幾つかの実施形態において、機器６００は、選択されたサブ対象グループを取得するために、サブ対象グループをフィルタリングするコマンドオプションを提供するように構成されたサブグループ選択ユニットを更に含んでもよい。
【００６７】
応答送信ユニット６０３は、選択されたサブ対象グループにおける応答対象に応答を送信するように更に構成されてもよい。
【００６８】
機器６００は、応答対象のそれぞれのための応答を生成するように構成された応答生成ユニットを更に含んでもよい。
【００６９】
幾つかの実施形態において、応答生成ユニットは、応答を取得するように、且つ応答対象のそれぞれのための応答を生成するように更に構成されてもよい。
【００７０】
幾つかの実施形態において、応答生成ユニットは、応答の多数のバージョンを取得するために、取得された応答を修正するように更に構成されてもよく、多数のバージョンは、類似の意味を有し、多数のバージョンのそれぞれは、応答対象の１つに応答するようになっている。
【００７１】
応答生成ユニットは、相異なるタイムスタンプを備えた、応答対象のそれぞれのための応答を生成するように更に構成されてもよい。
【００７２】
幾つかの実施形態において、機器６００は、次のように構成された自動応答ユニットを更に含んでもよい。即ち、
公開投稿に関する新しいコメントが取得された場合に、応答された古いコメントと新しいコメントとの間の類似の内容を決定するように、且つ
新しいコメントが、応答された古いコメントと類似の内容を有する場合に、新しいコメントへの応答として古いコメントへの応答を用いるように構成された自動応答ユニットを更に含んでもよい。
【００７３】
図７は、例示的な実施形態に従って、コメントに応答するための別の機器７００を示すブロック図である。機器７００は、次のものを含んでもよい。即ち、
公開投稿に関する複数のコメントに応答する要求をサーバに送信するように、且つ複数のコメントに基づく第１の対象グループをサーバから取得するように構成された要求送信ユニット７０１であって、第１の対象グループが、類似の内容を有する応答対象を含む要求送信ユニット７０１と、
サーバによって返された第１の対象グループに従って、応答対象を決定するように構成された応答対象決定ユニット７０２と、
応答対象への応答を決定するように構成された応答決定ユニット７０３と、
応答対象に応答を送信するように構成された応答送信ユニット７０４と、を含んでもよい。応答送信ユニット７０４は、応答送信ユニット６０３と同じか又は相異なってもよい。
【００７４】
幾つかの実施形態において、機器７００は、第２の対象グループを取得するために、応答対象をフィルタリングする要求を取得し、且つ応答対象をフィルタリングするように構成されたフィルタリングユニットであって、第２の対象グループが、フィルタリングされた応答対象を含むフィルタリングユニットを更に含んでもよい。
【００７５】
応答送信ユニット７０４は、フィルタリングされた応答対象に応答を送信するように更に構成されてもよい。
【００７６】
図８は、例示的な実施形態に従って、コメントへの応答を取得するための別の機器８００を示すブロック図である。機器８００は、次のものを含んでもよい。即ち、
応答対象への応答を取得するように構成された応答取得ユニット８０１であって、第１の対象グループが、応答対象を含み、第１の対象グループが、類似の内容を共有するコメントである応答取得ユニット８０１と、
例えば、応答を表示することによって応答を提供するように構成された応答提供ユニット８０２と、を含んでもよい。
【００７７】
当業者は、本明細書における開示に関連して説明される様々な例示的な論理ブロック、モジュール、回路、及びアルゴリズムステップが、電子ハードウェア、コンピュータソフトウェア、並びに電子ハードウェア及びコンピュータソフトウェアの組み合わせとして実現されてもよいことを更に理解することができる。例えば、モジュール／ユニットは、コンピュータ可読記憶媒体に格納されたソフトウェア命令を実行するプロセッサによって実行されてもよい。
【００７８】
添付の図面における流れ図及びブロック図は、本発明の多数の実施形態によるシステム及び方法の可能な実装形態のシステムアーキテクチャ、機能、及び動作を示す。この点について、流れ図又はブロック図における各ブロックは、１つのモジュール、１つのプログラムセグメント、又はコードの一部を表してもよく、モジュール、プログラムセグメント、又はコードの一部は、特定の論理機能を実行するために用いられる１つ又は複数の実行可能命令を含む。幾つかの代替実装形態において、ブロックに採り上げられた機能がまた、図面に採り上げられたシーケンスと相異なるシーケンスで行われてもよいことに留意されたい。例えば、２つの連続ブロックは、実際にはほぼ並行して実行することができ、時には、それらはまた、逆の順序で実行することができ、それは、関連する機能に依存する。ブロック図及び／又は流れ図における各ブロック、並びにブロック図及び／又は流れ図におけるブロックの組み合わせは、対応する機能又は動作を実行するための専用ハードウェアベースのシステムによって実行されてもよく、又は専用ハードウェア及びコンピュータ命令の組み合わせによって実行されてもよい。
【００７９】
当業者によって理解され得るように、本開示の実施形態は、方法、システム又はコンピュータプログラムプロダクトとして具体化されてもよい。従って、本開示の実施形態は、完全にハードウェア実施形態、完全にソフトウェア実施形態、又はソフトウェア及びハードウェアを組み合わせる実施形態の形態を取ってもよい。更に、本開示の実施形態は、コンピュータ可読プログラムコードを含む、１つ又は複数のコンピュータ可読記憶媒体（限定するわけではないが、磁気ディスクメモリ、ＣＤ−ＲＯＭ、光メモリ等を含む）に具体化されたコンピュータプログラムプロダクトの形態を取ってもよい。
【００８０】
本開示の実施形態は、本開示の実施形態に従って、方法、装置（システム）、及びコンピュータプログラムプロダクトの流れ図及び／又はブロック図に関連して説明される。流れ図又はブロック図の各フロー及び／又はブロック、並びに流れ図又はブロック図におけるフロー及び／又はブロックの組み合わせが、コンピュータプログラム命令によって実現され得ることが理解されよう。これらのコンピュータプログラム命令は、汎用コンピュータのプロセッサ、専用コンピュータ、埋め込み型プロセッサ、又はマシンを生成する他のプログラマブルデータ処理装置に提供されてもよく、その結果、コンピュータ又は他のプログラマブルデータ処理装置のプロセッサを介して実行される命令は、流れ図における１つ又は複数のフロー及び／又はブロック図における１つ又は複数のブロックにおいて指定された機能を実行するための手段を生成する。
【００８１】
これらのコンピュータプログラム命令はまた、コンピュータ又は他のプログラマブルデータ処理装置に対して特定の方法で機能するように指示できるコンピュータ可読メモリに格納されてもよく、その結果、コンピュータ可読メモリに格納された命令は、流れ図における１つ又は複数のフロー及び／又はブロック図における１つ又は複数のブロックにおいて指定された機能を実行する命令手段を含む製造された製品を生成する。
【００８２】
これらのコンピュータプログラム命令はまた、コンピュータ又はコンピュータによって実行される処理を行う他のプログラマブル装置に一連の動作ステップを実行させるために、コンピュータ又は他のプログラマブルデータ処理装置上にロードされてもよく、その結果、コンピュータ又は他のプログラマブルデータ装置で実行される命令は、流れ図における１つ又は複数のフロー及び／又はブロック図における１つ又は複数のブロックにおいて指定された機能を実行するためのステップを提供する。典型的な構成において、コンピュータ装置は、１つ又は複数の中央処理装置（ＣＰＵ）、入力／出力インターフェース、ネットワークインターフェース、及びメモリを含む。メモリは、揮発性メモリ、ランダムアクセスメモリ（ＲＡＭ）、及び／又はコンピュータ可読記憶媒体における読み取り専用メモリ（ＲＯＭ）若しくはフラッシュＲＡＭなどの不揮発性メモリ等の形態を含んでもよい。メモリは、コンピュータ可読記憶媒体の例である。
【００８３】
コンピュータ可読記憶媒体は、プロセッサによって読み取れる情報又はデータが格納され得る任意のタイプの物理メモリを指す。従って、コンピュータ可読記憶媒体は、本明細書で説明される実施形態と一致するステップ又はステージをプロセッサに実行させるための命令を含む、１つ又は複数のプロセッサによって実行するための命令を格納してもよい。コンピュータ可読記憶媒体は、不揮発性及び揮発性媒体、並びに取り外し可能及び取り外し不可能な媒体を含み、情報の記憶は、任意の方法又は技術で実行することができる。情報は、コンピュータ可読命令、データ構造及びプログラム、又は他のデータであってもよい。コンピュータ可読記憶媒体の例は、限定するわけではないが、相変化ランダムアクセスメモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み出し専用メモリ（ＲＯＭ）、電気的消去可能プログラマブル読み出し専用メモリ（ＥＥＰＲＯＭ）、フラッシュメモリ若しくは他のメモリ技術、コンパクトディスク読み出し専用メモリ（ＣＤ−ＲＯＭ）、デジタル多用途ディスク（ＤＶＤ）若しくは他の光記憶装置、カセットテープ、テープかディスク記憶装置若しくは他の磁気記憶装置、又はコンピュータ装置によってアクセス可能な情報を格納するために用いられ得る任意の他の非伝送媒体を含む。コンピュータ可読記憶媒体は、非一時的であり、変調されたデータ信号及び搬送波などの一時的な媒体を含まない。
【００８４】
本明細書は、コメントに応答するため方法、機器及びシステムを説明した。示されたステップは、図示の例示的な実施形態を説明するために提示されている。進展中の技術開発が、特定の機能が実行される方法を変更するであろうことが予想されるはずである。従って、これらの例は、限定ではなく、実例のために本明細書に提示される。例えば、本明細書で開示されるステップ又はプロセスは、説明された順序で実行されることに限定されず、開示される実施形態と一致して、任意の順序で実行されてもよく、幾つかのステップは、省略されてもよい。更に、機能的な構成ブロックの境界は、説明の便宜のために本明細書では任意に画定された。代替の境界は、それらの特定の機能及び関係が適切に実行される限りで画定することができる。代替（本明細書で説明されるものの等価物、拡張、変形、偏向等を含む）は、本明細書に含まれる教示に基づいて、当業者には明らかであろう。かかる代替は、開示される実施形態の範囲及び趣旨内に入る。
【００８５】
開示される原理の例及び特徴が、本明細書で説明されているが、修正、適応及び他の実装形態が、開示される実施形態の趣旨及び範囲から逸脱せずに可能である。また、単語「含む（comprising）」、「有する」、「含む（containing）」及び「含む（including）」、及び他の類似の形態は、意味において等価であるように意図され、且つこれらの単語のいずれか１つに続く項目が、かかる項目の網羅的なリストであるようにも、リストされた項目だけに限定されるようにも意味されない点でオープンエンドである。本明細書及び添付の特許請求の範囲で用いられている限り、単数形「a」、「an」及び「the」は、文脈が明白に別段の指示をしていない限り、複数への言及を含むことにも留意されたい。
【００８６】
本発明が、上記で説明され、且つ添付の図面に示された構造に正確には限定されないこと、及び様々な修正及び変更が、本発明の範囲から逸脱せずに行われ得ることが理解されよう。本発明の範囲は、添付の特許請求の範囲によってのみ限定されるべきであることが意図されている。
【図１】
0006778699.tif 000002
【図２】
0006778699.tif 000003
【図３】
0006778699.tif 000004
【図４】
0006778699.tif 000005
【図５】
0006778699.tif 000006
【図６】
0006778699.tif 000007
【図７】
0006778699.tif 000008
【図８】
0006778699.tif 000009